(57)【要約】【課題】  コストアップをすることなく、該チューブのクリープによるインク溶剤の蒸発への影響を抑え、記録ヘッド吐出口内のインク溶剤の蒸発を抑制しうるインクジェット記録装置用吐出回復装置を提供する。【解決手段】  ジョイントチューブを接続するキャップホルダのジョイント部に、キャップホルダジョイント外径がチューブ内径より大きく、チューブ内壁がキャップホルダジョイント部を締めつけ、チューブをキャップホルダジョイント部に固定する締結領域と、キャップホルダジョイント部の外径とチューブ内径が同寸法、あるいは、チューブ内径よりは大きいが締結領域でのキャップホルダジョイント部の外径よりも小さく、キャップホルダジョイント部の外壁とチューブ内壁が密着し、該キャップホルダのインク流路を外気から遮断する密閉領域と、を設けるインクジェット記録装置用吐出回復装置。【選択図】  図１
2005335159.tif 000002
【特許請求の範囲】
【請求項１】
記録ヘッドの吐出口を保護するキャップと、前記キャップを搭載するキャップホルダと、前記キャップホルダと連通している吸引ポンプと、前記キャップホルダと前記吸引ポンプとの連通させる柔軟性のあるチューブと、
を有するインクジェット記録装置用吐出回復装置において、
前記チューブを接続する前記キャップホルダのジョイント部に、
前記キャップホルダジョイント外径が前記チューブ内径より大きく、前記チューブ内壁が前記キャップホルダジョイント部を締めつけ、前記チューブを前記キャップホルダジョイント部に固定する締結領域と、
前記キャップホルダジョイント部の外径と前記チューブ内径が同寸法、あるいは、前記チューブ内径よりは大きいが前記締結領域での前記キャップホルダジョイント部の外径よりも小さく、前記キャップホルダジョイント部の外壁と前記チューブ内壁が密着し、該キャップホルダのインク流路を外気から遮断する密閉領域と、
を設けたことを特徴とするインクジェット記録装置用吐出回復装置。
【請求項２】
前記キャップホルダジョイント外径が前記チューブ内径よりも小さく、前記チューブ内壁と前記キャップホルダジョイント部の外壁が接触しないオーバーラップ領域を設けたことを特徴とする請求項１に記載のインクジェット記録装置用吐出回復装置。
【請求項３】
前記キャップホルダのジョイント部は、少なくとも、締結領域である第１の外径と、密着領域である第２の外径とを有することを特徴とする請求項１乃至請求項２に記載のインクジェット記録装置用吐出回復装置。
【請求項４】
前記キャップホルダのジョイント部は、前記締結領域である第１の外径と、該第１の外形と、前記密閉領域の前記ジョイント部の外径と、前記オーバーラップ領域の前記ジョイント部の外径と、が連続的である、緩やかなテーパ形状であることを特徴とする請求項２に記載のインクジェット記録装置用吐出回復装置。
【請求項５】
前記キャップホルダのジョイント部のテーパ角度が１０度以下であることを特徴とする請求項４に記載のインクジェット記録装置用吐出回復装置。
【請求項６】
記録ヘッドの吐出口を保護するキャップと、前記キャップを搭載するキャップホルダと、前記キャップホルダと連通し、前記キャップ内の密閉用空間を大気に開放する大気連通バルブと、前記キャップホルダと前記大気連通バルブとの連通させる柔軟性のあるチューブと、
を有するインクジェット記録装置用吐出回復装置において、
前記チューブを接続する前記キャップホルダのジョイント部に、
前記キャップホルダジョイント外径が前記チューブ内径より大きく、前記チューブ内壁が前記キャップホルダジョイント部を締めつけ、前記チューブを前記キャップホルダジョイント部に固定する締結領域と、
前記キャップホルダジョイント部の外径と前記チューブ内径が同寸法、あるいは、前記チューブ内径よりは大きいが前記締結領域での前記キャップホルダジョイント部の外径よりも小さく、前記キャップホルダジョイント部の外壁と前記チューブ内壁が密着し、該キャップホルダの大気連通バルブへの流路を外気から遮断する密閉領域と、
を設けたことを特徴とするインクジェット記録装置用吐出回復装置。
【請求項７】
前記キャップホルダジョイント外径が前記チューブ内径よりも小さく、前記チューブ内壁と前記キャップホルダジョイント部の外壁が接触しないオーバーラップ領域を設けたことを特徴とする請求項６に記載のインクジェット記録装置用吐出回復装置。
【請求項８】
前記キャップホルダのジョイント部は、少なくとも、締結領域である第１の外径と、密着領域である第２の外径とを有することを特徴とする請求項６乃至請求項７に記載のインクジェット記録装置用吐出回復装置。
【請求項９】
前記キャップホルダのジョイント部は、前記締結領域である第１の外径と、該第１の外形と、前記密閉領域の前記ジョイント部の外径と、前記オーバーラップ領域の前記ジョイント部の外径と、が連続的である、緩やかなテーパ形状であることを特徴とする請求項７に記載のインクジェット記録装置用吐出回復装置。
【請求項１０】
前記キャップホルダのジョイント部のテーパ角度が１０度以下であることを特徴とする請求項９に記載のインクジェット記録装置用吐出回復装置。
【発明の詳細な説明】
【技術分野】
【０００１】
本発明は、記録ヘッドから記録媒体へインクを吐出して記録を行うインクジェット記録装置において、該記録ヘッドを良好な状態に保つためのインクジェット記録装置の吸引回復機構に関し、更には、記録ヘッドの吐出口を保護するキャップ等からのインク溶剤の蒸発を抑制し、前記吐出口の目詰まりを防止するためのインクジェット記録装置用吐出回復装置に関する。
【背景技術】
【０００２】
インクジェット記録装置においては、記録ヘッドの前面にインク滴を吐出するための吐出口（通常複数個）が形成されており、この吐出口の大きさは数十μ程度であるが、最近では高画質化とともに吐出口の大きさは益々小さくなりつつある。そして、ホスト機から送られてくる記録データをもとに記録装置内で処理された吐出信号に基づいて、前記吐出口からインク滴が吐出され、記録媒体上に画像（文字や記号も含む）が記録される。インクジェット記録装置においては、微細な吐出口からインクを吐出して記録を行うことから、該吐出口に目詰まりが生じ、吐出不良（不吐出を含む）に起因して記録画像の品位が低下してしまうということがあり、そのための対策として、記録ヘッドのインク吐出性能を維持回復するための吐出回復装置を用いることが行われている。
【０００３】
この吐出回復装置として、記録ヘッドの吐出口をキャッピングするキャッピング手段、キャッピング状態においてキャッピング手段に接続された吸引ポンプを作動させてキャップ内に負圧を発生させて吐出口から増粘インクや気泡等の異物を吸引排出することにより該吐出口内のインクをリフレッシュさせる吸引手段（吸引回復手段）、記録ヘッドの吐出口面に付着したインク等の異物をワイパーブレード等で拭き取り清掃するワイピング手段、などを備えたものが使用されている。インクジェット記録装置においては、吐出口内のインク溶剤の蒸発を抑制のため、該キャッピング手段においてキャッピング手段と吸引ポンプを接続するチューブにガスバリア性の高いチューブを用いている。さらに、キャッピング手段と接続チューブのジョイント部において、ジョイント部の長さを長くする、あるいは金属製のパイプを挿入する構成をとっている（たとえば、特許文献１、特許文献２参照）。
【特許文献１】特開２０００−１５８６６１号（段落〔００３３〕、段落〔００３６〕、図３、図４）
【特許文献２】特開２００２−３３１６７３号（段落〔００２６〕、図８）
【発明の開示】
【発明が解決しようとする課題】
【０００４】
しかしながら、ガスバリア性の高いオレフィン（一般分子式 CnH2nで示される、分子内に炭素２重結合を１個持った脂肪族不飽和炭化水素）系チューブでは、経時変化による該チューブのクリープが大きく、柔軟性、弾性が失われ、従来のジョイント部の構成では、キャップを搭載するキャップホルダとチューブを接続するジョイント部において該チューブとの密閉が緩み、該個所からインク溶剤が蒸発してしまい、該チューブのガスバリア性能を十分に生かせないという矛盾が生じてしまっている。また、金属製のパイプを用いる構成では、用いない構成と比較し、コストアップも大きくなってしまっている。
【０００５】
本発明は上記課題に鑑みてなされたものであり、本発明の目的は、コストアップをすることなく、該チューブのクリープによるインク溶剤の蒸発への影響を抑え、記録ヘッド吐出口内のインク溶剤の蒸発を抑制しうるインクジェット記録装置用吐出回復装置を提供することである。
【課題を解決するための手段】
【０００６】
本発明は上記課題を解決するために考案された下記の構成を特徴とするインクジェット記録装置用吐出回復装置である。
【０００７】
（１）記録ヘッドの吐出口を保護するキャップと、前記キャップを搭載するキャップホルダと、前記キャップホルダと連通している吸引ポンプと、前記キャップホルダと前記吸引ポンプとの連通させる柔軟性のあるチューブと、を有するインクジェット記録装置用吐出回復装置において、前記チューブを接続する前記キャップホルダのジョイント部に、前記キャップホルダジョイント外径が前記チューブ内径より大きく、前記チューブ内壁が前記キャップホルダジョイント部を締めつけ、前記チューブを前記キャップホルダジョイント部に固定する締結領域と、前記キャップホルダジョイント部の外径と前記チューブ内径が同寸法、あるいは、前記チューブ内径よりは大きいが前記締結領域での前記キャップホルダジョイント部の外径よりも小さく、前記キャップホルダジョイント部の外壁と前記チューブ内壁が密着し、該キャップホルダのインク流路を外気から遮断する密閉領域と、を設けたことを特徴とする。
【０００８】
（２）上記（１）に記載のインクジェット記録装置用吐出回復装置において、前記キャップホルダジョイント外径が前記チューブ内径よりも小さく、前記チューブ内壁と前記キャップホルダジョイント部の外壁が接触しないオーバーラップ領域を設けたことを特徴とする。
【０００９】
（３）上記（１）乃至（２）に記載のインクジェット記録装置用吐出回復装置において、前記キャップホルダのジョイント部は、少なくとも、締結領域である第１の外径と、密着領域である第２の外径とを有することを特徴とする。
【００１０】
（４）上記（１）に記載のインクジェット記録装置用吐出回復装置において、前記キャップホルダのジョイント部は、前記締結領域である第１の外径と、該第１の外形と、前記密閉領域の前記ジョイント部の外径と、前記オーバーラップ領域の前記ジョイント部の外径と、が連続的である、緩やかなテーパ形状であることを特徴とする。
【００１１】
（５）上記（４）に記載のインクジェット記録装置用吐出回復装置において、キャップホルダのジョイント部のテーパ角度が１０度以下であることを特徴とする。
【発明の効果】
【００１２】
即ち、上記構成を有する本発明によれば、記録ヘッドの吐出口を保護するキャップと、前記キャップを搭載するキャップホルダと、前記キャップホルダと連通している吸引ポンプと、前記キャップホルダと前記吸引ポンプとの連通させる柔軟性のあるチューブと、を有するインクジェット記録装置用吐出回復装置において、前記チューブを接続する前記キャップホルダのジョイント部に、前記キャップホルダジョイント外径が前記チューブ内径より大きく、前記チューブ内壁が前記キャップホルダジョイント部を締めつけ、前記チューブを前記キャップホルダジョイント部に固定する締結領域と、前記キャップホルダジョイント部の外径と前記チューブ内径が同寸法、あるいは、前記チューブ内径よりは大きいが前記締結領域での前記キャップホルダジョイント部の外径よりも小さく、前記キャップホルダジョイント部の外壁と前記チューブ内壁が密着し、該キャップホルダのインク流路を外気から遮断する密閉領域と、を設けたことを特徴とするため、簡単な構成でコストアップをすることなく、接続チューブに不要な応力をかけずにキャップホルダのジョイント部と密着させ、記録ヘッド吐出口内のインク溶剤の蒸発を抑制し、該チューブのクリープによるインク溶剤の蒸発への影響を抑えた、インクジェット記録装置用吐出回復装置を提供することができる。
【００１３】
さらには、前記キャップホルダジョイント外径が前記チューブ内径よりも小さく、前記チューブ内壁と前記キャップホルダジョイント部の外壁が接触しないオーバーラップ領域を有し、前記キャップホルダのジョイント部は、前記オーバーラップ領域の前記ジョイント部の外径と、前記密閉領域の前記ジョイント部の外径とが連続的である、緩やかなテーパ形状であることを特徴とするため、前記キャップホルダのジョイント部および前記チューブの部品公差に厳しい制限を設けなくとも、前記チューブに不要な応力をかけずに前記キャップホルダと前記チューブをほぼ同寸法で密着させる状態を作り出すことができる。
【発明を実施するための最良の形態】
【００１４】
（実施例１）
以下、本発明の実施の形態について図面を参照して説明する。
【００１５】
図１は本発明によるインクジェット記録装置用キャップを使用するのに好適な記録装置の概略構成を示す模式的斜視図である。図１において、インクジェット記録装置２００は、記録手段としての記録ヘッド（インクジェット記録ヘッド）７を搭載して移動するキャリッジ２０２と、キャリッジ２０２を往復移動させるための駆動モータ及びキャリッジベルト２０４などの伝動機構と、記録紙等の記録媒体を供給する給紙装置２０５と、記録ヘッド７のインク吐出性能の維持、回復を行うための吐出回復装置６と、を備えている。これらのインクジェット記録装置２００の構成要素は装置本体を構成するシャーシ２０９に取り付けられている。
【００１６】
図２は図１中の記録ヘッド７を上側から見た模式的斜視図（ａ）及び下側から見た模式的斜視図（ｂ）である。図１のインクジェット記録装置においては、キャリッジ２０２の移動（主走査）を制御しながら画像信号に基づいて記録ヘッド７を駆動するとともに、給紙装置２０５から供給された記録媒体を搬送（副走査）することにより、該記録媒体に対する記録が行われる。キャリッジ２０５には、記録ヘッド７の他に、該記録ヘッドにインクを供給するためのインクカートリッジ２０６が着脱可能に装着されている。
【００１７】
図３は吐出回復装置６を右側前方から見た模式的斜視図であり、図４は本吐出回復装置６の内部構造を示す模式的縦断面図である。
【００１８】
図１〜図４において、インクジェット記録装置では、記録ヘッド７を搭載するキャリッジ２０２の記録動作のための往復運動の範囲外（記録領域外）の所望位置（例えばホームポジションと対応する位置）に、記録ヘッド７の吐出不良を回復するための吐出回復装置６が配設されている。吐出回復装置６は、記録ヘッド７の吐出口面７２をキャッピングするキャッピング手段６２と、記録ヘッド７の吐出口面７２をワイパーブレード等で拭き取り清掃するワイピング手段６３と、キャッピング手段６２に接続された吸引ポンプから成る吸引手段６１と、を備えている。吸引手段６１は、記録ヘッド７の吐出口７１をキャッピング手段で密閉した状態で作動されることで、吐出口７１からインクを強制的に排出させ、記録ヘッド７のインク流路内の増粘インクや気泡等を除去するなどの吐出回復処理を行うことができる。
【００１９】
また、非記録時等に、記録ヘッド７の吐出口面７２をキャッピングすることによって、記録ヘッド７を保護するとともにインクの乾燥を防止することができる。ワイピング手段６３は、キャッピング手段６２の近傍に配されると共に、記録ヘッド７の吐出口面７２に付着したインク滴を拭き取るようになっている。これら吸引手段６１、キャッピング手段６２及びワイピング手段６３をタイムリーに制御することにより、記録ヘッド７を正常な状態（正常な記録動作が可能な状態）に保つことができる。
【００２０】
キャッピング手段６２は、記録ヘッド７の吐出口面（吐出口７１が形成されたインク吐出面）７２に当接するキャップ６２１と、記録ヘッド７の吐出口７１から排出されるインクを効率よく吸引するためのキャップ吸収体６２２と、キャップばね６２４により記録ヘッド７の吐出口面に圧接させるようにキャップ６２１を支持するキャップホルダ６２３と、キャップホルダ６２３にキャップ圧（キャップの密着力）を与えるキャップばね６２４と、キャップばね６２４を支持するとともにキャップホルダ６２３を上下方向に摺動自在に支持することでキャップ６２１を記録ヘッド７の吐出口面７２に当接・離間させる昇降レバーを構成するキャップベース６２５と、キャップ６２１内部と吸引手段６１とを連結するジョイントチューブ６２６と、キャップ６２１内部と大気開放用の開閉バルブ６４とを連結するバルブチューブ６２７と、を備えている。
【００２１】
バルブ６４は、バルブベース６４１にバルブレバー６４２とバルブゴム６４３とバルブレバーばね６４４とを組み付けて構成されている。バルブレバー６４２はバルブベース６４１に回転可能に軸支されている。バルブレバー６４２内部には管路が形成されており、該管路の一端部はバルブチューブ６２７と接続するためのジョイント部であり、他端部は、バルブレバー６４２の回転によりバルブゴム６４３に当接・離間することで該管路の開閉状態を切り換える開閉弁になっている。バルブレバーばね６４４は、バルブレバー６４２をバルブゴム６４３に当接する方向に付勢している。バルブ６４を開閉することで、バルブチューブ６２７により接続されたキャップ６２１内部を大気に対して開放、密閉状態に切り換える。
【００２２】
図５はキャップ６２１、キャップホルダ６２３およびジョイントチューブ６２６、バルブチューブ６２７を含むキャッピング手段６２の斜視図、図６はキャップ６２１、キャップホルダ６２３およびジョイントチューブ６２６、バルブチューブ６２７のジョイント部を通る面の断面図であり、図７は図６の断面図におけるキャップホルダ６２３とジョイントチューブ６２６のジョイント部の拡大図である。
【００２３】
キャップホルダ６２３のジョイント部６２３Ａは、外径が一定値の領域６２３Ａ−（ａ）と、領域６２３Ａ−（ａ）の外径よりも小さい一定値である領域６２３Ａ−（ｂ）を備えている。また、領域６２３Ａ−（ｃ）ではキャップホルダ６２３とジョイントチューブ６２６は非接触状態である。
【００２４】
領域６２３Ａ−（ａ）は、キャップホルダ６２３のジョイント部６２３Ａの外径がジョイントチューブ６２６内径より大きくなっており、ジョイントチューブ６２６内壁がキャップホルダ６２３のジョイント部６２３Ａを締めつけ、ジョイントチューブ６２６をキャップホルダ６２３のジョイント部６２３Ａに固定する締結領域である。領域６２３Ａ−（ａ）では、ジョイントチューブ６２６が吐出回復装置としての動作上、十分耐えうるだけの締結力（挿抜力）を出せるように、キャップホルダ６２３のジョイント部６２３Ａに対して締めつけを行っている。ただし、このときジョイントチューブ６２６には、応力が生じ、経時変化によるクリープが起きうる。
【００２５】
領域６２３Ａ−（ｂ）はキャップホルダ６２３のジョイント部６２３Ａの外径とジョイントチューブ６２６内径が同寸法、あるいは、ジョイントチューブ６２６内径よりは大きいが領域６２３Ａ−（ａ）でのキャップホルダ６２３のジョイント部６２３Ａの外径よりも小さく、キャップホルダ６２３のジョイント部６２３Ａに対するジョイントチューブ６２６の十分な締結力を発生してはいないが相互に密着した密閉領域である。
【００２６】
領域６２３Ａ−（ｃ）はキャップホルダ６２３のジョイント部６２３Cの外径が細くなり、キャップホルダ６２３のジョイント部６２３Cの外径がジョイントチューブ６２６内径よりも小さくなる、キャップホルダ６２３のジョイント部６２３Cとジョイントチューブ６２６とは接触しないオーバーラップ領域である。
【００２７】
領域６２３Ａ−（ａ）においては、領域６２３Ａ−（ｂ）と比べてジョイントチューブ６２６のクリープが大きく、このクリープが起きると、チューブのガスバリア性が損なわれる傾向にある。
【００２８】
領域６２３Ａ−（ｂ）では、締結力を弱めている分だけジョイントチューブ６２６のクリープの抑制をしているため、ガスバリア性を維持でき、インク溶剤の蒸発を抑制している。
【００２９】
また、キャップホルダ６２３とバルブチューブ６２７とのジョイント部についても、同様で、キャップホルダ６２３のジョイント部６２３Ｂに設けられた、領域６２３Ｂ−（ａ）〜（ｂ）により、高いガスバリア性を維持することができる。
【００３０】
上述のように本実施例によれば、インクジェット記録装置用吐出回復装置において、簡単な構成でコストアップをすることなく、ジョイントチューブ６２６およびバルブチューブ６２７に不要な応力をかけずにキャップホルダ６２３のジョイント部と密着させ、記録ヘッド吐出口内のインク溶剤の蒸発を抑制し、ジョイントチューブ６２６およびバルブチューブ６２７のクリープによるインク溶剤の蒸発への影響を抑えた、インクジェット記録装置用吐出回復装置を提供することができる。
【００３１】
（実施例２）
図８および図９は本発明の実施例２にかかるキャップ６２１、キャップホルダ６２３およびジョイントチューブ６２６、バルブチューブ６２７を示したものである。
【００３２】
図８はキャップ６２１、キャップホルダ６２３およびジョイントチューブ６２６、バルブチューブ６２７のジョイント部を通る面の断面図であり、図９は図８の断面図におけるキャップホルダ６２３とジョイントチューブ６２６のジョイント部の拡大図である。
【００３３】
キャップホルダ６２３のジョイント部６２３Cは、外径が一定値の領域６２３C−（ａ）と、先端に向けて外径が徐々に細くなっていく、長く緩やかなテーパ形状の領域６２３C−（ｂ）、および（ｃ）を備え、領域６２３C−（ｃ）ではキャップホルダ６２３とジョイントチューブ６２６は非接触状態である。
【００３４】
領域６２３C−（ａ）は、キャップホルダ６２３のジョイント部６２３Cの外径がジョイントチューブ６２６内径より大きくなっており、ジョイントチューブ６２６内壁がキャップホルダ６２３のジョイント部６２３Cを締めつけ、ジョイントチューブ６２６をキャップホルダ６２３のジョイント部６２３Cに固定する締結領域である。領域６２３C−（ａ）では、ジョイントチューブ６２６が吐出回復装置としての動作上、十分耐えうるだけの締結力（挿抜力）を出せるように、キャップホルダ６２３のジョイント部６２３Cに対して締めつけを行っている。ただし、このときジョイントチューブ６２６には、応力が生じ、経時変化によるクリープが起きうる。
【００３５】
領域６２３C−（ｂ）はキャップホルダ６２３のジョイント部６２３Cの外径とジョイントチューブ６２６内径が同寸法、あるいは、ジョイントチューブ６２６内径よりは大きいが領域６２３C−（ａ）でのキャップホルダ６２３のジョイント部６２３Cの外径よりも小さく、キャップホルダ６２３のジョイント部６２３Cに対するジョイントチューブ６２６の十分な締結力を発生してはいないが相互に密着した密閉領域である。
【００３６】
領域６２３C−（ｃ）はキャップホルダ６２３のジョイント部６２３Cの外径が細くなり、キャップホルダ６２３のジョイント部６２３Cの外径がジョイントチューブ６２６内径よりも小さくなる、キャップホルダ６２３のジョイント部６２３Cとジョイントチューブ６２６とは接触しないオーバーラップ領域である。
【００３７】
領域６２３C−（ａ）においては、領域６２３C−（ｂ）と比べてジョイントチューブ６２６のクリープが大きく、このクリープが起きると、チューブのガスバリア性が損なわれる傾向にある。
【００３８】
領域６２３C−（ｂ）では、締結力を弱めている分だけジョイントチューブ６２６のクリープの抑制をしているため、ガスバリア性を維持でき、インク溶剤の蒸発を抑制している。
【００３９】
また、領域６２３C−（ｂ）から領域６２３C−（ｃ）は連続した緩やかなテーパ形状であるため、実寸法が公差範囲内であればキャップホルダ６２３のジョイント部６２３Cの外径とジョイントチューブ６２６内径が同寸法となる部分が必ず存在し、その近傍ではジョイントチューブ６２６のクリープは生じることなく、より高いガスバリア性を維持することができる。
【００４０】
また、上記のジョイント部６２３のテーパ角度は１０度以下とすることで、領域６２３C−（ｂ）を大きく確保でき、ジョイントチューブ６２６に生じる応力を低減することができる。
【００４１】
また、キャップホルダ６２３とバルブチューブ６２７とのジョイント部についても、同様で、キャップホルダ６２３のジョイント部６２３Ｂに設けられた、領域６２３D−（ａ）〜（ｃ）により、高いガスバリア性を維持することができる。
【００４２】
上述のように本実施例によれば、インクジェット記録装置用吐出回復装置において、簡単な構成でコストアップをすることなく、ジョイントチューブ６２６およびバルブチューブ６２７に不要な応力をかけずにキャップホルダ６２３のジョイント部と密着させ、記録ヘッド吐出口内のインク溶剤の蒸発を抑制し、ジョイントチューブ６２６およびバルブチューブ６２７のクリープによるインク溶剤の蒸発への影響を抑えた、インクジェット記録装置用吐出回復装置を提供することができる。
【図面の簡単な説明】
【００４３】
【図１】本発明の第１実施例におけるインクジェット記録装置の斜視図。
【図２】本発明の第１実施例における記録ヘッドの斜視図。
【図３】本発明の第１実施例におけるインクジェット記録装置の吐出回復装置の斜視図。
【図４】本発明の第１実施例におけるインクジェット記録装置の吐出回復装置の内部構造を示す断面図。
【図５】本発明の第１実施例における吐出回復装置のキャッピング手段の斜視図。
【図６】本発明の第１実施例におけるキャッピング手段を構成するキャップ、キャップホルダ、ジョイントチューブおよびバルブチューブの断面図。
【図７】本発明の第１実施例における図６の断面図の部分詳細図。
【図８】本発明の第２実施例におけるキャッピング手段を構成するキャップ、キャップホルダ、ジョイントチューブおよびバルブチューブの断面図。
【図９】本発明の第２実施例における図６の断面図の部分詳細図。
【符号の説明】
【００４４】
２００  インクジェット記録装置
２０２  キャリッジ
２０４  キャリッジベルト
２０５  給紙装置
２０９  シャーシ
７  記録ヘッド
６０  回復ベース
６１  吸引手段
６１０  ポンプユニット
６１１  チューブガイド
６１２  ポンプローラホイール
６１３  ポンプローラホルダ
６１４  ポンプローラ
６１５  ポンプばね
６１６  ポンプチューブ
６１７  ポンプローラダンパ
６２  キャッピング手段
６２１  キャップ
６２２  インク吸収体
６２２ａ  インク吸収体（黒吐出口）
６２２ｂ  インク吸収体（カラー吐出口）
６２３  キャップホルダ
６２４  キャップばね
６２５  キャップベース
６２６  ジョイントチューブ
６２７  バルブチューブ
６３  ワイピング手段
６４  バルブ
６４１  バルブベース
６４２  バルブレバー
６４３  バルブゴム
６４４  バルブレバーばね
【図１】
2005335159.tif 000003
【図２】
2005335159.tif 000004
【図３】
2005335159.tif 000005
【図４】
2005335159.tif 000006
【図５】
2005335159.tif 000007
【図６】
2005335159.tif 000008
【図７】
2005335159.tif 000009
【図８】
2005335159.tif 000010
【図９】
2005335159.tif 000011